(57)【要約】【課題】設計上の制約に抵触することなく、浮遊空間（即ち、イオン発生部で発生したイオンが浮遊する空間）を通過する空気の風速を増大させることによって、イオンを効率よく浮遊空間の外部へ送出することができるイオン発生ユニット及びイオン送風装置を提供する。【解決手段】２個のイオン発生部１０夫々から適長離隔してこれらに対向配置された風向板８が、２個のイオン発生部１０夫々に備えられている各複数のイオン発生素子１０ａ，１０ｂで発生したイオンが浮遊する浮遊空間１１の断面積を狭める。このとき、２個のイオン発生部１０間の離隔距離を減少させることなく、浮遊空間１１を通過する空気の風速を、風向板８が存在しない場合に比べて増大させることができる。従って、発生したイオンは、風速が増大した空気と共に浮遊空間１１の外部へ効率的に送出される。【選択図】図６
2012243419.tif 000002
【特許請求の範囲】
【請求項１】
イオンを発生させるイオン発生部と、
該イオン発生部を支持する支持部と
を備えるイオン発生ユニットにおいて、
前記イオン発生部で発生したイオンが浮遊する空間を流通する空気の風向きを規制する風向規制部を備え、
該風向規制部は、前記支持部に一体的に設けられており、前記イオン発生部から適長離隔して前記イオン発生部に対向配置してあることを特徴とするイオン発生ユニット。
【請求項２】
前記イオン発生部を複数備え、
前記風向規制部は、少なくとも２個の前記イオン発生部を互いに遮蔽するように配されていることを特徴とする請求項１に記載のイオン発生ユニット。
【請求項３】
前記イオン発生部は、前記風向規制部の側へ突設されていることを特徴とする請求項１又は２に記載のイオン発生ユニット。
【請求項４】
前記風向規制部は板状をなし、前記風向きに沿う断面が翼型断面であることを特徴とする請求項１から３の何れかひとつに記載のイオン発生ユニット。
【請求項５】
請求項１から４の何れかひとつに記載のイオン発生ユニットと送風機とを備え、
該送風機が送風する空気が、前記イオン発生部で発生したイオンが浮遊する空間を流通するようにしてあり、前記イオン発生ユニットが着脱可能に設けられていることを特徴とするイオン送風装置。
【発明の詳細な説明】
【技術分野】
【０００１】
本発明は、イオンを発生させるイオン発生ユニット及びイオン送風装置に関する。
【背景技術】
【０００２】
イオン送風装置は、例えば室内に設置される空気清浄機として構成される。このようなイオン送風装置は、イオン発生部で発生したイオンを、送風機が送風する空気と共に装置外部へ送出する。送出されたイオンは菌類及びウィルス等を死滅又は不活性化させ、また、悪臭の原因となる物質を分解することができる。
イオン発生部は、例えばコロナ放電によってイオンを発生させるべく、円形の誘導電極と複数の針状の放電電極とを有する。放電電極の先端は、誘導電極の貫通孔の中心、且つ、この貫通孔の厚みの範囲内に位置する（特許文献１参照）。
【０００３】
また、イオン送風装置は、イオン発生部と、イオン発生部に給電するためのコネクタと、イオン発生部及びコネクタを支持する支持部等とが一体化されているイオン発生ユニットを備え、イオン発生ユニットは、装置本体に対して着脱可能に設けられている（特許文献２，３参照）。このようなイオン送風装置を用いるユーザは、イオン発生ユニットの保守点検又は交換等の際に、イオン発生ユニットを簡単に取り付け及び取り外しすることができる。
【０００４】
送風方向に交差する方向（以下、送風交差方向という）に対向配置された複数のイオン発生部を備えるイオン発生ユニットにおいては、各イオン発生部で発生したイオンが浮遊する空間（以下、浮遊空間という）が、対向するイオン発生部同士の間に形成される。送風機が送風する空気は、浮遊空間を流通する。
【先行技術文献】
【特許文献】
【０００５】
【特許文献１】特許第４０７１７９９号公報
【特許文献２】特開２０１０−８０４２５号公報
【特許文献３】特許第４５５１９５３号公報
【発明の概要】
【発明が解決しようとする課題】
【０００６】
ところで、浮遊空間を流通する空気の風速を増大させると、イオンを効率よくイオン送風装置の外部へ送出することができる。このために、浮遊空間の送風交差方向の寸法（以下、単に浮遊空間の寸法という）を減少させることが考えられる。
しかしながら、イオン送風装置の設計条件によっては、浮遊空間の寸法を減少させることができないという制約が課されることがある。
【０００７】
例えば、複数のイオン発生部が上述のように対向配置されているイオン発生ユニットにおいては、浮遊空間の寸法を減少させることによって、対向するイオン発生部とイオン発生部との間の送風交差方向の離隔距離が減少する。ところが、このとき、各イオン発生部において生じる電界同士が干渉し合う、又は各イオン発生部で発生したイオン同士が結合して消滅する等の問題が起き易くなるため、装置外部へ送出されるイオンの個数が減少する虞がある。
また、浮遊空間の寸法を減少させるために、支持部の形状及び寸法等を大幅に変更してしまうと、変更後のイオン発生ユニットが従来のイオン送風装置に取り付けられないか、又は、イオン送風装置全体の設計を大幅に変更しなければならない等の問題が生じかねない。
【０００８】
本発明は斯かる事情に鑑みてなされたものであり、その主たる目的は、浮遊空間を流通する空気の風向きを規制する風向規制部が、イオン発生部に対向して配置される構成とすることにより、設計条件を満たしつつイオンを効率よく送出することができるイオン発生ユニット及びイオン送風装置を提供することにある。
【課題を解決するための手段】
【０００９】
本発明に係るイオン発生ユニットは、イオンを発生させるイオン発生部と、該イオン発生部を支持する支持部とを備えるイオン発生ユニットにおいて、前記イオン発生部で発生したイオンが浮遊する空間を流通する空気の風向きを規制する風向規制部を備え、該風向規制部は、前記支持部に一体的に設けられており、前記イオン発生部から適長離隔して前記イオン発生部に対向配置してあることを特徴とする。
【００１０】
本発明に係るイオン発生ユニットは、前記イオン発生部を複数備え、前記風向規制部は、少なくとも２個の前記イオン発生部を互いに遮蔽するように配されていることを特徴とする。
【００１１】
本発明に係るイオン発生ユニットは、前記イオン発生部は、前記風向規制部の側へ突設されていることを特徴とする。
【００１２】
本発明に係るイオン発生ユニットは、前記風向規制部は板状をなし、前記風向きに沿う断面が翼型断面であることを特徴とする。
【００１３】
本発明に係るイオン送風装置は、本発明のイオン発生ユニットと送風機とを備え、該送風機が送風する空気が、前記イオン発生部で発生したイオンが浮遊する空間を流通するようにしてあり、前記イオン発生ユニットが着脱可能に設けられていることを特徴とする。
【００１４】
本発明にあっては、イオン発生部から適長離隔してイオン発生部に対向配置された風向規制部が、浮遊空間（即ち、イオン発生部で発生したイオンが浮遊する空間）の送風交差方向の断面積を減少させる（以下、浮遊空間の断面積を狭めるという）。何故ならば、風向規制部の送風交差方向の断面積の分だけ、浮遊空間の断面積が減少するからである。このとき、浮遊空間の送風交差方向の寸法は変化しないが、浮遊空間を流通する空気の風速は、風向規制部が存在しない場合に比べて増大する。従って、イオン発生部で発生したイオンは、風速が増大した空気と共に浮遊空間の外部へ送出される。
【００１５】
しかも、浮遊空間を流通する空気は、風向規制部によって風向きを規制される。このため、風速が増大した空気の風向きも適宜に規制される。この結果、イオンを含む空気は、浮遊空間の外部へ効率よく送出される。
このような風向規制部は、イオン発生部を支持する支持部に一体的に設けられるため、支持部と風向規制部とが別体に設けられる場合とは異なり、イオン発生部、支持部、及び風向規制部を一つの部品として取り扱うことが可能である。この結果、例えばイオン送風装置に対するイオン発生ユニットの着脱が簡便である。
【００１６】
本発明にあっては、複数のイオン発生部を備え、少なくとも２個のイオン発生部（以下、第１及び第２のイオン発生部という）が、風向規制部によって互いに遮蔽される。この結果、浮遊空間は少なくとも２つの空間に区画される。以下では、風向規制部によって区画された個々の空間を区画空間という。
このとき、第１及び第２のイオン発生部夫々で発生したイオンは、互いに異なる区画空間で浮遊する。従って、浮遊空間において、第１のイオン発生部で発生したイオンと第２のイオン発生部で発生したイオンとが結合し消滅する不都合が抑制される。
【００１７】
また、浮遊空間の寸法を減少させるべく第１及び第２のイオン発生部を互いに接近配置する必要がないため、第１のイオン発生部と第２のイオン発生部とを十分に離隔させることができる。従って、第１及び第２のイオン発生部夫々において生じる電界同士が干渉し合う不都合を抑制することができる。
以上の結果、浮遊空間の外部へ送出されるイオンの個数を最大限に増加させることができる。
【００１８】
本発明にあっては、支持部に支持されたイオン発生部は、風向規制部側へ突設されている。このため、浮遊空間におけるイオン発生部と風向規制部との間の空間の断面積を、イオン発生部が突設されていない場合に比べて、更に狭めることができる。この結果、イオン発生部近傍における風速を更に増大させることができるため、イオンの送出効率を更に向上させることができる。
【００１９】
本発明にあっては、風向規制部は、浮遊空間を流通する空気の風向き（即ち送風方向）に沿う翼型断面の板状をなしている。
このような風向規制部は、浮遊空間の断面積が送風方向に沿って滑らかに変化するように、浮遊空間の断面積を狭めることができる。従って、浮遊空間における空気の流通が風向規制部によって阻害される不都合は、最小限に抑えられる。この結果、例えば平板状の風向規制部を備える場合に比べて、風向規制部の存在に起因する騒音の発生を低減することができる。
【発明の効果】
【００２０】
本発明のイオン発生ユニット及びイオン送風装置による場合、浮遊空間を流通する空気の風速を増大させ、且つ、この空気の風向きを規制することができるため、イオン発生部で発生したイオンを効率よく浮遊空間の外部へ送出することができる。
また、イオンが浮遊空間内部で滞留する時間が短縮されるため、イオン発生部で発生したイオン同士が浮遊空間内部で結合して消滅する不都合を抑制することができる。この結果、浮遊空間の外部へ送出されるイオンの個数を最大限に増加させることができる。
【００２１】
しかも、空気の風速を増大させるために浮遊空間の寸法を減少させる必要がない。従って、イオン発生ユニット及び／又はイオン送風装置の設計上の制約に抵触することがない。
更に、イオン発生部、支持部、及び風向規制部を一つの部品として取り扱うことが可能である。従って、特に、ユーザがイオン発生ユニットを保守点検又は交換等するために、ユーザがイオン発生ユニットをイオン送風装置から簡単に取り外し、また、イオン送風装置に簡単に取り付けることができる。即ち、イオンの効率的な送出とユーザの利便性の向上とを両立させることができる。
【図面の簡単な説明】
【００２２】
【図１】本発明の実施の形態１に係るイオン送風装置の内部構造を示す斜視図である。
【図２】図１におけるIII −III 線の断面図である。
【図３】本発明の実施の形態１に係るイオン発生ユニットの外観構造を示す斜視図である。
【図４】本発明の実施の形態１に係るイオン発生ユニットの外観構造を示す平面図である。
【図５】本発明の実施の形態１に係るイオン発生ユニットの外観構造を示す側面図である。
【図６】図１におけるVII −VII 線の断面図である。
【図７】図６におけるイオン発生部近傍の拡大図である。
【図８】本発明の実施の形態２に係るイオン発生ユニットの外観構造を示す側面図である。
【図９】本発明の実施の形態３に係るイオン発生ユニットの外観構造を示す斜視図である。
【発明を実施するための形態】
【００２３】
以下、本発明を、その実施の形態を示す図面に基づいて詳述する。
【００２４】
実施の形態  １．
図１は、本発明の実施の形態１に係るイオン送風装置１の内部構造を示す斜視図である。
図２は、図１におけるIII −III 線の断面図であり、後述する図４におけるII−II線の断面図を含む。
図３、図４、及び図５は、本発明の実施の形態１に係るイオン発生ユニット２の外観構造を示す斜視図、平面図、及び側面図である。ただし、図３には後述する風向板８は図示されていない。
図６は、図１におけるVII −VII 線の断面図であり、図４におけるVI−VI線の断面図を含む。
【００２５】
図７は、図６における右側に示されたイオン発生部１０近傍の拡大図である。
図３、図５、及び図６に示す白抜矢符Ａは大略的な送風方向を表わしており、図７に示す矢符は空気が流れる方向の詳細を表わしている。
まず、図１及び図２を参照しつつ、イオン送風装置１の全体的な構成を説明する。以下では、図１中の上下方向を上下方向といい、図２中の左右方向を左右方向といい、図１中に記載の「前面側」及び「背面側」を結ぶ方向を前後方向という。
イオン送風装置１は、据え置き型の空気清浄機であり、イオン発生ユニット２と、シロッコファン３１と、ケーシング２１と、イオン送風装置１の外観をなす図示しない外装カバーとを備えている。
【００２６】
シロッコファン３１は、図示しないファンモータと共に、本発明の実施の形態に係る送風機として機能する。シロッコファン３１は、全体として略円筒形状をなし、ファンモータの出力軸に接続されている。このファンモータが作動することによって、シロッコファン３１は、仮想上の中心軸１０１を中心に、矢符１０２の方向（図中反時計回りの方向）に回転駆動される。シロッコファン３１において、円筒の周面に相当する位置には、複数枚のファンブレード３２が周方向に等配されている。
なお、イオン送風装置１は、シロッコファン３１に替えて、クロスフロー（貫流）ファンを備える構成でもよい。
【００２７】
ケーシング２１は、イオン送風装置１の正面側（図１中「前面側」）に配置される本体ケーシング２３と、背面側に配置されるケーシングカバー２２（図１参照）とを有する。
本体ケーシング２３は、背面が全面的に開放されている縦長の箱状になしてある。本体ケーシング２３には、イオン送風装置１の主要部品（例えばシロッコファン３１、又はイオン送風装置１の図示しない制御回路等）が収容されており、更に、イオン発生ユニット２が着脱可能に装着されている。
ケーシングカバー２２は、本体ケーシング２３の背面の開放部分を塞ぐように本体ケーシング２３に取り付けられている。
【００２８】
ケーシング２１の内部には、互いに組み合わされた本体ケーシング２３及びケーシングカバー２２がケーシング２１の内部を区画することによって、送風路４１（図２参照）が形成されている。シロッコファン３１は、中心軸１０１が前後方向に沿うようにして、後述する吹出口２６の下方に位置するよう送風路４１に配されている。
送風路４１の一端部、及び他端部は、装置外部の空気を送風路４１へ吸い込むための吸込口３６、及び送風路４１内部の空気が装置外部へ吹き出すための吹出口２６である。また、吸込口３６と吹出口２６との間は、スクロール部４２及び吹出部４３（夫々図２参照）である。
【００２９】
シロッコファン３１が送風することによって、空気は送風路４１を吸込口３６から吹出口２６へ流通する。更に詳細には、吸込口３６から吸い込まれた空気は、シロッコファン３１を通過して、スクロール部４２へ移動し、更に、吹出部４３へ移動し、最後に、吹出口２６から装置外部へ吹き出す。
吹出口２６は、矩形状の開口面を有し、ケーシング２１の上部にて、上方に向けて開口している。
吸込口３６は、ケーシング２１の背面に形成されており、シロッコファン３１の内周側、即ち複数枚のファンブレード３２の内側に連通している。
スクロール部４２は、シロッコファン３１の外周側、即ち複数枚のファンブレード３２の外側に位置している。
【００３０】
図２に示すように、スクロール部４２はスクロール面２４を有する。中心軸１０１の軸方向（即ち前後方向）から見た場合、スクロール面２４は、シロッコファン３１の外周に対面する湾曲面状になしてある。このようなスクロール面２４は、中心軸１０１を中心に、シロッコファン３１の回転方向に沿って徐々に大きくなる半径Ｒを有する。
スクロール面２４は、中心軸１０１の軸周りに、３６０度よりも小さい角度に亘って形成されている。以下では、シロッコファン３１の反回転方向におけるスクロール面２４の端部を、スクロール面２４の一方端２４ｑという。また、シロッコファン３１の回転方向におけるスクロール面２４の端部を、スクロール面２４の他方端という。
【００３１】
スクロール部４２の吹出部４３近傍の水平断面は矩形状になしてある。
吹出部４３は、吹出口２６を介して装置外部に連通している。また、吹出部４３は、イオン送風装置１の左右方向（以下、単に左右方向という）に離隔配置されているガイド面２５，２７を有する（図１及び図２参照）。
図２に示すように、ガイド面２７は、スクロール面２４の一方端２４ｑから吹出口２６の開口縁の一部に向けて延在している。ガイド面２７の送風方向上流側は、シロッコファン３１の外周の仮想的な接線１１０の延長線上に位置する傾斜面状をなし、送風方向下流側は、上下方向に配された平面状になしてある。ガイド面２５は、ガイド面２７に対面する平面状をなし、スクロール面２４の他方端と吹出口２６の開口縁の他部に向けて延在している。
【００３２】
前後方向から見た場合、スクロール部４２は、シロッコファン３１とスクロール面２４との間に形成されている。また、前後方向から見た場合、吹出部４３は、ガイド面２５とガイド面２７との間に形成されている。更に、吹出部４３は、スクロール部４２よりも上側に形成されている。
イオン発生ユニット２は、後述する一側部７１及び他側部７２（又は連結部７３）を本体ケーシング２３に接近する側（又は本体ケーシング２３から離隔する側）に向けた姿勢で、本体ケーシング２３の右側部に開口している図示しない開口部から本体ケーシング２３の内部へ左方向に挿入されることによって、本体ケーシング２３に取り付けられる（図１及び図２参照）。
【００３３】
イオン発生ユニット２は、複数のイオン発生部１０を備えており（図２中には１個だけ図示）、イオン発生ユニット２が本体ケーシング２３に取り付けられている状態では、イオン発生部１０は、吹出部４３の内部に位置する。
イオン発生ユニット２においては、後述するイオン発生素子１０ａ，１０ｂに交流電圧が印加される。このとき、空気中の酸素及び水分が、電離によりイオン化し、正イオンＨ+ （Ｈ2 Ｏ）m （ｍは０又は自然数）と、負イオンＯ2-（Ｈ2 Ｏ）n （ｎは０又は自然数）とを主体としたイオンを発生させる。発生したイオンは、送風路４１を流通する空気と共に、吹出口２６から装置外部へ送出される。
【００３４】
次に、図３〜図７を参照しつつ、イオン発生ユニット２の詳細な構成を説明する。
イオン発生ユニット２（図３〜図６参照）は、複数（本実施の形態では２個）のイオン発生部１０（図３〜図７参照）と、アタッチメントケース７と、（図４〜図７参照）と、複数（本実施の形態では２個）のコネクタ９（図３及び図５参照）とを備えている。このようなイオン発生ユニット２は、アタッチメントケース７が２個のイオン発生部１０、風向板８、及び２個のコネクタ９を一体的に支持することによって、これらを一つの部品として取り扱えるように構成されている（即ち、アタッチメント化されている）。
【００３５】
アタッチメントケース７は平面視コ字状をなし、対向する一側部７１及び他側部７２と、一側部７１及び他側部７２夫々の基端部同士を連結する連結部７３とを有する（図３〜図５参照）。イオン発生ユニット２が本体ケーシング２３に取り付けられている場合、アタッチメントケース７の一側部７１及び他側部７２は、長手方向が左右方向に沿うようにして、前後方向に離隔配置される。
アタッチメントケース７の一側部７１、他側部７２、及び連結部７３によって囲繞される空間１１（図４〜図７参照）は、イオン発生部１０で発生したイオンが浮遊する浮遊空間１１として機能する。
【００３６】
イオン発生ユニット２が本体ケーシング２３に取り付けられている場合、浮遊空間１１の送風方向上流側（及び下流側）は、スクロール部４２（及び吹出部４３）に連通する。従って、シロッコファン３１が送風する空気は、浮遊空間１１をイオン送風装置１の下側から上側へ流通する。この結果、浮遊空間１１に浮遊していたイオンは、吹出部４３を通過して吹出口２６から装置外部へ送出される。
【００３７】
アタッチメントケース７の一側部７１及び他側部７２夫々の互いに対向する部分には、各１個のイオン発生部１０が配されている。また、一側部７１及び他側部７２夫々の先端部には、イオン発生部１０に給電するためのコネクタ９が配されている。アタッチメントケース７は本発明の実施の形態に係る支持部として機能する。
【００３８】
イオン発生ユニット２が本体ケーシング２３に取り付けられている場合、図３〜図６に示すように、アタッチメントケース７の一側部７１に位置するイオン発生部１０と、アタッチメントケース７の他側部７２に位置するイオン発生部１０とは、前後方向のみならず、上下方向にも適長離隔されている。この結果、例えば前後方向には離隔されているが上下方向には同一位置に配置されている場合よりも、２個のイオン発生部１０夫々において生じる電界同士が干渉し合う不都合が抑制される。
【００３９】
各イオン発生部１０には、各複数（本実施の形態では夫々２個）のイオン発生素子１０ａ，１０ｂが備えられている（図３、図６、及び図７参照）。各複数のイオン発生素子１０ａ，１０ｂは、左右方向に交互に離隔配置される。イオン発生素子１０ａ，１０ｂ夫々は、針状の放電電極と、放電電極を囲繞する誘導電極とを備えている。イオン発生素子１０ａは正イオンを発生させ、イオン発生素子１０ｂは負イオンを発生させる。
【００４０】
アタッチメントケース７の連結部７３には、２個のイオン発生部１０夫々から適長離隔し、且つ、２個のイオン発生部１０夫々に対向配置された風向板８が突設されている。風向板８は、浮遊空間１１の内部に、２個のイオン発生部１０を互いに遮蔽するように配されている。また、風向板８は、イオン発生部１０で発生したイオンが風向板８の影響で消滅してしまわないように、少なくともその表面が絶縁性を有する。このような風向板８は、浮遊空間１１を流通する空気の風向きを規制する。即ち、風向板８は本発明の実施の形態に係る風向規制部として機能する。
なお、風向板８は、アタッチメントケース７に一体に設けられていてもよく、例えば従来のアタッチメントケース７に追加されてもよい。
【００４１】
図５〜図７に示すように、風向板８の送風方向に沿う断面のうち、上下方向に沿い、且つ前後方向に沿う断面は、翼型断面である。この断面は、更に詳細には、前縁部の膨らみ部分がイオン発生部１０に接近配置されている翼型断面である。しかも、各イオン発生部１０は、アタッチメントケース７から風向板８側へ突出するようにアタッチメントケース７に設けられている。このため、風向板８とイオン発生部１０との間の前後方向の距離は、風向板８とアタッチメントケース７との間の前後方向の距離よりも短い。
【００４２】
風向板８は翼型断面を有するため、風向板８が空気の流通を阻害することが抑制される。この結果、風向板８がイオンの送出を阻害したり大きな風切り音を発生させたりすることが抑制される。
また、風向板８は、浮遊空間１１の上下方向、左右方向、及び前後方向夫々の寸法を減少させることなく、浮遊空間１１の水平方向（即ち送風交差方向）の断面積を減少させる。換言すれば、風向板８が存在することによって、浮遊空間１１の断面積が狭められている。このとき、最も狭められているのがイオン発生部１０近傍の断面積である。
【００４３】
スクロール部４２から浮遊空間１１へ流通する空気の流れは層流であると考えられる。この空気がイオン発生部１０と風向板８（特に風向板８の前縁の膨らみ）との間を流通するときに、流通すべき断面積がスクロール部４２における流通すべき断面積に比べて狭められているため、風速が増大する。このとき、空気の圧力はベルヌーイの定理に従い低下する。この結果、イオン発生部１０で発生したイオンは、気圧の差によって浮遊空間１１へ効率よく吸い出され、更に、増速し、且つ、風向板８によって風向きが規制された空気に伴って、吹出部４３へ、更には装置外部へ、効率よく送出される。
【００４４】
更にまた、２個のイオン発生部１０同士の離隔距離は必要十分なものであり、しかも、風向板８が２個のイオン発生部１０を互いに遮蔽している。このため、２個のイオン発生部１０において生じる電界同士が干渉し合ったり、一のイオン発生部１０で発生したイオンと、他のイオン発生部１０で発生したイオンとが浮遊空間１１内部で結合し消滅したりする不都合が抑制される。
しかも、浮遊空間１１を流通する空気の増速によって、浮遊空間１１内部でイオンが滞留する時間が短縮される。このため、一のイオン発生部１０で発生したイオン同士が浮遊空間１１内部で結合し消滅する不都合が抑制される。
以上の結果、送出されるイオンの数量は最大限に増加する。
【００４５】
ところで、本実施の形態におけるシロッコファン３１によって送風される空気の風速は１０m/s 程度である。このため、風向板８の下端部は気流に対する投影面積が小さいほど好ましい。従って、風向板８は下端部が尖った翼型断面を有することが好ましい。
【００４６】
以上のようなイオン発生ユニット２におけるアタッチメントケース７及びイオン発生部１０の構成は、次にアタッチメントケース７が風向板８を支持している点を除けば、従来のアタッチメントケース７及びイオン発生部１０の構成と同じである。従って、本発明の実施の形態に係るイオン発生ユニット２は、従来のイオン送風装置の本体ケーシング２３に問題なく着脱される。換言すれば、従来のイオン送風装置の本体ケーシング２３に本発明の実施の形態に係るイオン発生ユニット２を取り付けることによって、本発明の実施の形態に係るイオン送風装置１を容易に得ることができる。つまり、製造者は、大幅な設計変更を強いられることなく、イオン送風装置１を製造することができる。
【００４７】
また、イオン発生ユニット２は、従来のイオン発生ユニットと同様に、ユーザがイオン発生ユニット２を保守点検又は交換等する際に、イオン発生ユニット２をイオン送風装置１から簡単に取り外し、また、イオン送風装置１に簡単に取り付けることができる。
【００４８】
実施の形態  ２．
図８は、本発明の実施の形態２に係るイオン発生ユニット２０の外観構造を示す側面図であり、実施の形態１の図５に対応する。
本実施の形態におけるイオン発生ユニット２０の構造は、実施の形態１におけるイオン発生ユニット２の構造と略同様であるため、以下では、両者の違いを説明し、その他、実施の形態１に対応する部分には同一符号を付してそれらの説明を省略する。
イオン発生ユニット２０は、実施の形態１における風向板８に替えて、風向板８１を備えている。
【００４９】
風向板８１は平板状になしてある。つまり、風向板８１は、翼型断面を有する風向板８に比べて簡易な形状である。このため、イオン発生ユニット２０は、イオン発生ユニット２に比べて製造が容易である。しかも、イオン発生ユニット２０、及びイオン発生ユニット２０が取り付けられているイオン送風装置１は、多数のイオンを効率よく送出することができる、及び、保守点検又は交換等の際にユーザがイオン発生ユニット２０を容易に取り扱うことができる等、実施の形態１のイオン発生ユニット２及びイオン送風装置１と同様の効果を奏する。
【００５０】
実施の形態  ３．
図９は、本発明の実施の形態３に係るイオン発生ユニット２００の外観構造を示す斜視図であり、実施の形態１の図３に対応する。
本実施の形態におけるイオン発生ユニット２００の構造は、実施の形態２におけるイオン発生ユニット２０の構造と略同様であるため、以下では、両者の違いを説明し、その他、実施の形態１，２に対応する部分には同一符号を付してそれらの説明を省略する。
【００５１】
イオン発生ユニット２００は、イオン発生部１０及びこれに給電するためのコネクタ９を各１つ備えている。何故ならば、イオン発生ユニット２００は、敢えて各複数のイオン発生部１０及びコネクタ９を備えておく必要がなければ、両者を各単数備えていればよいからである。このため、イオン発生ユニット２００はイオン発生ユニット２０よりも構成が簡易であり、且つ軽量化されている。しかも、イオン発生ユニット２００、及びイオン発生ユニット２００が取り付けられているイオン送風装置１は、実施の形態２のイオン発生ユニット２０及びイオン送風装置１と同様の効果を奏する。
【００５２】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、イオン発生ユニット２，２０，２００及び／又はイオン送風装置１に、実施の形態１〜３に開示されていない構成要素が含まれていてもよい。
【００５３】
例えば、本実施の形態では、イオン送風装置１として据え置き型の空気清浄機が例示されているが、これに限定されるものではない。本発明の実施の形態に係るイオン送風装置は、壁掛け型、ビルトイン型、又は車載型であってもよく、空気調和機、加湿装置、又は除湿装置等として構成されていてもよい。また、本発明の実施の形態に係るイオン発生ユニットは、洗濯機、乾燥機、冷蔵庫、又は掃除機等、種々の電気機器に装備され得る。本発明の実施の形態に係るイオン発生ユニットが例えば洗濯乾燥機に備えられる場合、発生したイオンは機外（例えばサニタリ空間）へ送出されてもよく、機内の所定空間（例えば回転ドラムの内部）へ送出されてもよい。
【符号の説明】
【００５４】
１    イオン送風装置
２    イオン発生ユニット
７    支持部
８    風向板（風向規制部）
１０  イオン発生部
１１  浮遊空間（空間）
３１  シロッコファン（送風機）
【図１】
2012243419.tif 000003
【図２】
2012243419.tif 000004
【図３】
2012243419.tif 000005
【図４】
2012243419.tif 000006
【図５】
2012243419.tif 000007
【図６】
2012243419.tif 000008
【図７】
2012243419.tif 000009
【図８】
2012243419.tif 000010
【図９】
2012243419.tif 000011